(57)【特許請求の範囲】
【請求項１】
ホストコンピュータと証明書発行機と登録端末とを有し、ＩＣカードを用いた証明書を発行する証明書発行システムにおいて、
上記ホストコンピュータが、
上記発行済証明書の識別番号と、この識別番号に付与された印影種別コードとを記憶する第１の記憶手段と、
この第１の記憶手段に記憶された印影種別コードと印影データとを対応させて予め記憶している第２の記憶手段とを有し、
上記登録端末が、
更新または再発行する証明書から識別番号と印影データとを読み出す読出手段と、
この読出手段で読み出された識別番号を用いて上記第１の記憶手段に記憶された印影種別コードを検索する第１の検索手段と、
この第１の検索手段で検索された印影種別コードを用いて上記第２の記憶手段に記憶された対応する印影データを検索する第２の検索手段と、
この第２の検索手段で検索された印影データと上記読出手段で読み出された印影データとを比較する比較手段と、
この比較手段の比較結果に応じて上記証明書発行機で更新または再発行する証明書を作成する制御を行う制御手段と、
を具備したことを特徴とする証明書発行システム。
【請求項２】
上記制御手段は、上記比較手段での比較結果が同じだった場合、上記比較手段で比較した印影データを用いて上記証明書発行機で更新または再発行する証明書を作成する制御を行うようにしたことを特徴とする請求項１記載の証明書発行システム。
【請求項３】
上記制御手段は、上記比較手段での比較結果が異なっていた場合、エラー表示を行って上記更新または再発行の申請書の内容から変更されるデータに基づいて上記証明書発行機で更新または再発行する証明書を作成する制御を行うようにしたことを特徴とする請求項１記載の証明書発行システム。
【請求項４】
上記制御手段は、上記比較手段での比較結果が異なっていた場合、エラー表示と共に証明書の作成を続行するか否かの選択を表示し、続行しない選択がされた際には証明書の作成を終了し、続行する選択がされた際には上記更新または再発行の申請書の内容から変更されるデータに基づいて上記証明書発行機で更新または再発行する証明書を作成する制御を行うようにしたことを特徴とする請求項１記載の証明書発行システム。
【請求項５】
ホストコンピュータと証明書発行機と登録端末とを有し、ＩＣカードを用いた証明書を発行する証明書発行システムにおいて、
上記ホストコンピュータが、
上記発行済証明書の印影種別コードを含む識別番号と、この識別番号に付与された印影種別コードとを記憶する第１の記憶手段と、
この第１の記憶手段に記憶された印影種別コードと印影データとを対応させて予め記憶している第２の記憶手段とを有し、
上記登録端末が、
更新または再発行する証明書から印影種別コードを含む識別番号を読み出す読出手段と、
この読出手段で読み出された識別番号を用いて上記第１の記憶手段に記憶された印影種別コードを検索する検索手段と、
この検索手段で検索された印影種別コードと上記読出手段で読み出された識別番号に含まれる印影種別コードとを比較する比較手段と、
この比較手段の比較結果に応じて、上記第２の記憶手段に記憶されている印影データを検索して上記証明書発行機で更新または再発行する証明書を作成する制御を行う制御手段と、
を具備したことを特徴とする証明書発行システム。
【請求項６】
ホストコンピュータと証明書発行機と登録端末とを有し、ＩＣカードを用いた証明書を発行する証明書発行システムにおいて、
上記ホストコンピュータが、
上記発行済証明書の印影暗号キーを含む識別番号と、この識別番号に付与された印影種別コードとを記憶する第１の記憶手段と、
この第１の記憶手段に記憶された印影種別コードと印影データとを対応させて予め記憶している第２の記憶手段とを有し、
上記登録端末が、
更新または再発行する証明書から識別番号と印影暗号キーを読み出す読出手段と、
この読出手段で読み出された識別番号を用いて上記第１の記憶手段に記憶された印影種別コードを検索する検索手段と、
上記読出手段で読み出された印影暗号キーを解読して印影種別コードを取得する暗号解読手段と、
この暗号解読手段で解読されて取得された印影種別コードと上記検索手段で検索された印影種別コードとを比較する比較手段と、
この比較手段の比較結果に応じて、上記第２の記憶手段に記憶されている印影データを検索して上記証明書発行機で更新または再発行する証明書を作成する制御を行う制御手段と、
を具備したことを特徴とする証明書発行システム。
【請求項７】
ホストコンピュータと証明書発行機と登録端末とを有し、ＩＣカードを用いた証明書を発行する証明書発行システムの更新発行方法であって、
更新または再発行する旧証明書から識別番号と印影データとを読み出し、この読み出された識別番号を用いて上記ホストコンピュータに記憶されている印影種別コードを検索し、この検索された印影種別コードを用いて上記ホストコンピュータに記憶された対応する印影データを検索し、この検索された印影データと上記読み出された印影データとを比較し、この比較結果に応じて上記証明書発行機で更新または再発行する証明書を作成する制御を行うようにしたことを特徴とする証明書発行システムの更新発行方法。
【請求項８】
ホストコンピュータと証明書発行機と登録端末とを有し、ＩＣカードを用いた証明書を発行する証明書発行システムの更新発行方法であって、
更新または再発行する旧証明書から印影種別コードを含む識別番号を読み出し、この読み出された識別番号を用いて上記ホストコンピュータに記憶された印影種別コードを検索し、この検索された印影種別コードと上記読み出された識別番号に含まれる印影種別コードとを比較し、この比較結果に応じて、上記ホストコンピュータに記憶されている印影データを検索して上記証明書発行機で更新または再発行する証明書を作成する制御を行うようにしたことを特徴とする証明書発行システムの更新発行方法。
【請求項９】
ホストコンピュータと証明書発行機と登録端末とを有し、ＩＣカードを用いた証明書を発行する証明書発行システムの更新発行方法であって、
更新または再発行する旧証明書から識別番号と印影暗号キーを読み出し、この読み出された識別番号を用いて上記ホストコンピュータに記憶された印影種別コードを検索し、上記読み出された印影暗号キーを解読して印影種別コードを取得し、この取得された印影種別コードと上記検索された印影種別コードとを比較し、この比較結果に応じて、上記ホストコンピュータに記憶されている印影データを検索して上記証明書発行機で更新または再発行する証明書を作成する制御を行うようにしたことを特徴とする証明書発行システムの更新発行方法。
【発明の詳細な説明】
【０００１】
【発明の属する技術分野】
この発明は、発行県以外の県で証明書を発行（更新・再発行）する証明書発行システムと証明書発行システムの更新発行方法に関する。
【０００２】
【従来の技術】
従来、各都道府県では、自県の印影データしか所有していないため、他県での証明書発行は実施されておらず実際の実現方法が確立していない。実現するとすると以下の２案が考えられる。
【０００３】
受付時にどの県であるかの情報（例えば県種別コード）を登録端末で入力し、その情報に対応した県の印影データを証明書に印刷する。
【０００４】
カード内にＩＤ番号を持たせ、その番号から導かれる県の印影データを照明書に印刷する。
【０００５】
しかしながら、上記第１の方法であると、毎回受付時にどの県であるかの情報を入力する必要があり、また、誤入力により間違った県の印影を印字してしまう恐れがある。
【０００６】
上記第２の方法であると、ＩＤ番号の改ざんや誤読の場合、間違った印影を印字してしまう恐れがある。
【０００７】
【発明が解決しようとする課題】
上記したように、証明書を発行する際、毎回受付時にどの県であるかの情報を入力する必要があり、誤入力により間違った県の印影を印字してしまう恐れがあり、ＩＤ番号の改ざんや誤読の場合に間違った印影を印字してしまう恐れがあるという問題があった。
【０００８】
そこで、この発明は、証明書を発行する際の入力ミスを防ぎ、改ざんや誤読にも正しく対応して証明書を発行することのできる証明書発行システムと証明書発行システムの更新発行方法を提供することを目的とする。
【０００９】
【課題を解決するための手段】
この発明の証明書発行システムは、ホストコンピュータと証明書発行機と登録端末とを有し、ＩＣカードを用いた証明書を発行する証明書発行システムにおいて、上記ホストコンピュータが、上記発行済証明書の識別番号と、この識別番号に付与された印影種別コードとを記憶する第１の記憶手段と、この第１の記憶手段に記憶された印影種別コードと印影データとを対応させて予め記憶している第２の記憶手段とを有し、上記登録端末が、更新または再発行する証明書から識別番号と印影データとを読み出す読出手段と、この読出手段で読み出された識別番号を用いて上記第１の記憶手段に記憶された印影種別コードを検索する第１の検索手段と、この第１の検索手段で検索された印影種別コードを用いて上記第２の記憶手段に記憶された対応する印影データを検索する第２の検索手段と、この第２の検索手段で検索された印影データと上記読出手段で読み出された印影データとを比較する比較手段と、この比較手段の比較結果に応じて上記証明書発行機で更新または再発行する証明書を作成する制御を行う制御手段とから構成されている。
【００１０】
この発明の証明書発行システムは、ホストコンピュータと証明書発行機と登録端末とを有し、ＩＣカードを用いた証明書を発行する証明書発行システムにおいて、上記ホストコンピュータが、上記発行済証明書の印影種別コードを含む識別番号と、この識別番号に付与された印影種別コードとを記憶する第１の記憶手段と、この第１の記憶手段に記憶された印影種別コードと印影データとを対応させて予め記憶している第２の記憶手段とを有し、上記登録端末が、更新または再発行する証明書から印影種別コードを含む識別番号を読み出す読出手段と、この読出手段で読み出された識別番号を用いて上記第１の記憶手段に記憶された印影種別コードを検索する検索手段と、この検索手段で検索された印影種別コードと上記読出手段で読み出された識別番号に含まれる印影種別コードとを比較する比較手段と、この比較手段の比較結果に応じて、上記第２の記憶手段に記憶されている印影データを検索して上記証明書発行機で更新または再発行する証明書を作成する制御を行う制御手段とから構成されている。
【００１１】
この発明の証明書発行システムは、ホストコンピュータと証明書発行機と登録端末とを有し、ＩＣカードを用いた証明書を発行する証明書発行システムにおいて、上記ホストコンピュータが、上記発行済証明書の印影暗号キーを含む識別番号と、この識別番号に付与された印影種別コードとを記憶する第１の記憶手段と、この第１の記憶手段に記憶された印影種別コードと印影データとを対応させて予め記憶している第２の記憶手段とを有し、上記登録端末が、更新または再発行する証明書から識別番号と印影暗号キーを読み出す読出手段と、この読出手段で読み出された識別番号を用いて上記第１の記憶手段に記憶された印影種別コードを検索する検索手段と、上記読出手段で読み出された印影暗号キーを解読して印影種別コードを取得する暗号解読手段と、この暗号解読手段で解読されて取得された印影種別コードと上記検索手段で検索された印影種別コードとを比較する比較手段と、この比較手段の比較結果に応じて、上記第２の記憶手段に記憶されている印影データを検索して上記証明書発行機で更新または再発行する証明書を作成する制御を行う制御手段とから構成されている。
【００１２】
この発明の証明書発行システムの更新発行方法は、ホストコンピュータと証明書発行機と登録端末とを有し、ＩＣカードを用いた証明書を発行する証明書発行システムの更新発行方法であって、更新または再発行する旧証明書から識別番号と印影データとを読み出し、この読み出された識別番号を用いて上記ホストコンピュータに記憶されている印影種別コードを検索し、この検索された印影種別コードを用いて上記ホストコンピュータに記憶された対応する印影データを検索し、この検索された印影データと上記読み出された印影データとを比較し、この比較結果に応じて上記証明書発行機で更新または再発行する証明書を作成する制御を行うようにしたことを特徴とする。
【００１３】
この発明の証明書発行システムの更新発行方法は、ホストコンピュータと証明書発行機と登録端末とを有し、ＩＣカードを用いた証明書を発行する証明書発行システムの更新発行方法であって、更新または再発行する旧証明書から印影種別コードを含む識別番号を読み出し、この読み出された識別番号を用いて上記ホストコンピュータに記憶された印影種別コードを検索し、この検索された印影種別コードと上記読み出された識別番号に含まれる印影種別コードとを比較し、この比較結果に応じて、上記ホストコンピュータに記憶されている印影データを検索して上記証明書発行機で更新または再発行する証明書を作成する制御を行うようにしたことを特徴とする。
【００１４】
この発明の証明書発行システムの更新発行方法は、ホストコンピュータと証明書発行機と登録端末とを有し、ＩＣカードを用いた証明書を発行する証明書発行システムの更新発行方法であって、更新または再発行する旧証明書から識別番号と印影暗号キーを読み出し、この読み出された識別番号を用いて上記ホストコンピュータに記憶された印影種別コードを検索し、上記読み出された印影暗号キーを解読して印影種別コードを取得し、この取得された印影種別コードと上記検索された印影種別コードとを比較し、この比較結果に応じて、上記ホストコンピュータに記憶されている印影データを検索して上記証明書発行機で更新または再発行する証明書を作成する制御を行うようにしたことを特徴とする。
【００１５】
【発明の実施の形態】
以下、この発明の一実施の形態について図面を参照して説明する。
【００１６】
図１は、この発明に係る証明書発行システムの概略構成を示すものである。証明書発行システムは、証明書発行における各種データを保有するホストコンピュータ１、入力装置２と登録端末画面３ａとを有して記載内容の照会、登録、修正を行うための登録端末３、ＩＣカードの読み書きを行うためのＩＣカードリーダ４、及び印字発行前の生カード（証明書用のＩＣカード）を供給する供給部６とＩＣカードリーダライタ７とを有する証明書発行機５とを有して構成されている。そしてＩＣカード化された証明書Ｃが、詳しくは後述するがＩＣカードリーダ４に挿入される。
【００１７】
図２は、第１実施例に係るデータフォーマットを示すものである。
【００１８】
ＩＣカード証明書Ｃ内には、申請者を識別するＩＤ番号と印影データが記憶されている。その他に住所などの関連情報を記憶しておいてもよい。
【００１９】
図２の（ａ）は、ＩＣカード証明書Ｃ内のデータフォーマット例を示すもので、ＩＤ番号、住所、各種データの最後に印影データ（イメージデータ）が記憶されている。
【００２０】
ホストコンピュータ１内には、申請書発行者を管理する個人データ表と各都道府県の印影データを管理する印影データ対応表が記憶されている。
【００２１】
図２の（ｂ）は、ホストコンピュータ１内のデータフォーマット例のうちの個人データ表を示すもので、ＩＤ番号、氏名、住所、各種データの最後に印影種別コードを記憶している。
【００２２】
図２の（ｃ）は、ホストコンピュータ１内のデータフォーマット例のうちの印影データ対応表を示すもので、各都道府県の印影種別コードに対応する印影データファイル名が記憶されている。
【００２３】
次に、このような構成において、第１実施例のＩＣカード証明書の更新、再発行の動作を図３のフローチャートを参照して説明する。
【００２４】
まず、登録端末３に接続されたＩＣカードリーダ４に更新または再発行するＩＣカード証明書Ｃが挿入された際（ＳＴ１）、ＩＣカードリーダ４は、ＩＤ番号および印影データを読み込む（ＳＴ２）。読み込み済のＩＣカード証明書Ｃは破棄する（ＳＴ３）。
【００２５】
登録端末３は、ＩＣカードリーダ４で読み取ったＩＤ番号によりホストコンピュータ１内の図２の（ｂ）に示した個人データ表を検索し（ＳＴ４）、該当するＩＤ番号に付与された印影種別コードを使ってホストコンピュータ１内の図２の（ｃ）に示した印影データ対応表を検索し（ＳＴ５）、該当する印影種別コードに付与された印影データファイル名から印影データを読み込む（ＳＴ６）。
【００２６】
そして登録端末３は、ステップＳＴ２で読み込んだ印影データとステップＳＴ６で読み込んだ印影データとをコンペア（比較）し（ＳＴ７）、比較結果が同じであれば、この印影データの印影を反映させて証明書発行機５でＩＣカード証明書を作成する。証明書発行機５は、供給部６から生カード（証明書用のＩＣカード）を供給してＩＣカードリーダライタ７を用いてＩＣカード証明書Ｃを作成する。
【００２７】
また、登録端末３は、ステップＳＴ７で印影データが異なっていた場合、登録端末画面３ａにエラー表示する（ＳＴ９）。ここで、オペレータは、発行を続行するか否かを入力装置２から入力する（ＳＴ１０）。
【００２８】
発行を続行する指示を入力した場合、オペレータは、更新または再発行の申請書の内容などから判断して間違えている方のデータ（ＩＣカードの印影データまたは個人データ表の印影種別コード）を入力装置２で変更して登録し（ＳＴ１１）、登録端末３は、印字する印影データを印影データ対応表から読み込み（ＳＴ１２）、この印影データの印影を反映させて証明書発行機５でＩＣカード証明書を作成する。
【００２９】
なお、ステップＳＴ１０で発行を続行しない場合は終了とする。
【００３０】
次に、第２実施例について説明する。
【００３１】
図４は、第２実施例に係るデータフォーマットを示すものである。
【００３２】
ＩＣカード証明書Ｃ内には、申請者を識別するＩＤ番号が記憶されている。
【００３３】
図４の（ａ）は、ＩＣカード証明書Ｃ内のデータフォーマット例を示すものである。このＩＤ番号は、印影種別コード部と個人ＩＤ部とで構成される。例えば、印影種別コード：０００１で個人ＩＤ：０００１の場合、ＩＤ番号は、０００１０００１となる。その他に住所などの関連情報を記憶してもよい。
【００３４】
ホストコンピュータ１内には、申請書発行者を管理する個人データ表と各都道府県の印影データを管理する印影データ対応表が記憶されている。
【００３５】
図４の（ｂ）は、ホストコンピュータ１内のデータフォーマット例のうちの個人データ表を示すもので、申請者を識別するＩＤ番号（主キー）と印影データを識別する印影種別コード（外部キー）を記憶している。その他に、氏名、住所などの関連情報を記憶してもよい。
【００３６】
図４の（ｃ）は、ホストコンピュータ１内のデータフォーマット例のうちの印影データ対応表を示すもので、各都道府県の印影種別コード（主キー）に対応する印影データファイル名が記憶されている。
【００３７】
次に、このような構成において、第２実施例のＩＣカード証明書の更新、再発行の動作を図５のフローチャートを参照して説明する。
【００３８】
まず、登録端末３に接続されたＩＣカードリーダ４に更新または再発行するＩＣカード証明書Ｃが挿入された際（ＳＴ２１）、ＩＣカードリーダ４は、ＩＤ番号を読み込む（ＳＴ２２）。読み込み済のＩＣカード証明書Ｃは破棄する（ＳＴ２３）。
【００３９】
登録端末３は、ＩＣカードリーダ４で読み取ったＩＤ番号によりホストコンピュータ１内の図４の（ｂ）に示した個人データ表を検索して印影種別コードを取得し（ＳＴ２４）、読み取ったＩＤ番号の印影種別コード部を取り出す（ＳＴ２５）。
【００４０】
そして登録端末３は、ステップＳＴ２４で取得した印影種別コードとステップＳＴ２５で取り出した印影種別コードとをデータコンペア（比較）し（ＳＴ２６）、比較結果が同じであれば、この印影種別コードに対応する印影データを図４の（ｃ）に示した印影データ対応表を利用して読み込み（ＳＴ２７）、この印影データの印影を反映させて証明書発行機５でＩＣカード証明書を作成する（ＳＴ２８）。証明書発行機５は、供給部６から生カード（証明書用のＩＣカード）を供給してＩＣカードリーダライタ７を用いてＩＣカード証明書Ｃを作成する。
【００４１】
また、登録端末３は、ステップＳＴ２６で印影データが異なっていた場合、登録端末画面３ａにエラー表示する（ＳＴ２９）。ここで、オペレータは、発行を続行するか否かを入力装置２から入力する（ＳＴ３０）。
【００４２】
発行を続行する指示を入力した場合、オペレータは、更新または再発行の申請書の内容などから判断して間違えている方のデータ（ＩＣカードのＩＤ番号または個人データ表の印影種別コード）を入力装置２で変更して登録し（ＳＴ３１）、登録端末３は、上述したステップＳＴ２７，２８によりＩＣカード証明書を作成する。
【００４３】
なお、ステップＳＴ３０で発行を続行しない場合は終了とする。
【００４４】
次に、第３実施例について説明する。
【００４５】
図６は、第３実施例に係るデータフォーマットを示すものである。
【００４６】
図６の（ａ）は、ＩＣカード証明書Ｃ内のデータフォーマット例を示すものである。ＩＣカード証明書Ｃ内には、申請者を識別するＩＤ番号と印影を識別するための印影暗号キーが記憶されている。その他に住所などの関連情報を記憶してもよい。
【００４７】
ホストコンピュータ１内には、申請書発行者を管理する個人データ表と各都道府県の印影データを管理する印影データ対応表が記憶されている。
【００４８】
図６の（ｂ）は、ホストコンピュータ１内のデータフォーマット例のうちの個人データ表を示すもので、申請者を識別するＩＤ番号（主キー）と印影データを識別する印影種別コード（外部キー）を記憶している。その他に、氏名、住所などの関連情報を記憶してもよい。
【００４９】
図６の（ｃ）は、ホストコンピュータ１内のデータフォーマット例のうちの印影データ対応表を示すもので、各都道府県の印影種別コード（主キー）に対応する印影データファイル名が記憶されている。
【００５０】
次に、このような構成において、第３実施例のＩＣカード証明書の更新、再発行の動作を図７のフローチャートを参照して説明する。
【００５１】
まず、登録端末３に接続されたＩＣカードリーダ４に更新または再発行するＩＣカード証明書Ｃが挿入された際（ＳＴ４１）、ＩＣカードリーダ４は、ＩＤ番号と印影暗号キーを読み込む（ＳＴ４２）。読み込み済のＩＣカード証明書Ｃは破棄する（ＳＴ４３）。
【００５２】
登録端末３は、ＩＣカードリーダ４で読み取ったＩＤ番号によりホストコンピュータ１内の図６の（ｂ）に示した個人データ表を検索して印影種別コードを取得し（ＳＴ４４）、読み取った印影暗号キーを既存の暗号化ソフトにより解凍（解読）し、印影種別コードを取得する（ＳＴ４５）。
【００５３】
そして登録端末３は、ステップＳＴ４４で取得した印影種別コードとステップＳＴ４５で取り出した印影種別コードとをデータコンペア（比較）し（ＳＴ４６）、比較結果が同じであれば、この印影種別コードに対応する印影データを図６の（ｃ）に示した印影データ対応表を利用して読み込み（ＳＴ４７）、この印影を反映させて証明書発行機５でＩＣカード証明書を作成する（ＳＴ４８）。証明書発行機５は、供給部６から生カード（証明書用のＩＣカード）を供給してＩＣカードリーダライタ７を用いてＩＣカード証明書Ｃを作成する。
【００５４】
また、登録端末３は、ステップＳＴ４６で印影データが異なっていた場合、登録端末画面３ａにエラー表示する（ＳＴ４９）。ここで、オペレータは、発行を続行するか否かを入力装置２から入力する（ＳＴ５０）。
【００５５】
発行を続行する指示を入力した場合、オペレータは、更新または再発行の申請書の内容などから判断して間違えている方のデータ（ＩＣカードの印影暗号キーまたは個人データ表の印影種別コード）を入力装置２で変更して登録し（ＳＴ５１）、登録端末３は、上述したステップＳＴ４７，４８によりＩＣカード証明書を作成する。
【００５６】
なお、ステップＳＴ５０で発行を続行しない場合は終了とする。
【００５７】
以上説明したように上記発明の実施の形態によれば、証明書内に発行県情報を記憶しているので、どの県から来た申請者かを受け付けたオペレータが入力（意識）することなく証明書を発行することができる。
【００５８】
また、証明書内のＩＤ番号から導かれる印影と印影データとの比較、またはＩＤ番号から導かれる印影種別コードと印影特定情報から導かれる印影種別コードとの比較を実施することにより、証明書内データの改ざんや誤読などにより間違った印影を正して証明書に印字することができる。
【００５９】
また、ＩＣカードを使用することにより、データ改ざんに対して強いシステムを構築することができる。
【００６０】
【発明の効果】
以上詳述したようにこの発明によれば、証明書を発行する際の入力ミスを防ぎ、改ざんや誤読にも正しく対応して証明書を発行することのできる証明書発行システムと証明書発行システムの更新発行方法を提供することができる。
【図面の簡単な説明】
【図１】この発明に係る証明書発行システムの概略構成を示すブロック図。
【図２】第１実施例に係るデータフォーマットを示す図。
【図３】第１実施例のＩＣカード証明書の更新、再発行の動作を説明するためのフローチャート。
【図４】第２実施例に係るデータフォーマットを示す図。
【図５】第２実施例のＩＣカード証明書の更新、再発行の動作を説明するためのフローチャート。
【図６】第３実施例に係るデータフォーマットを示す図。
【図７】第３実施例のＩＣカード証明書の更新、再発行の動作を説明するためのフローチャート。
【符号の説明】
１…ホストコンピュータ
２…入力装置
３…登録端末（検索手段、比較手段、制御手段、暗号解読手段）
３ａ…登録端末画面
４…ＩＣカードリーダ（読出手段）
５…証明書発行機
６…供給部
７…ＩＣカードリーダライタ
【図１】
0004413326.tif 000002
【図２】
0004413326.tif 000003
【図３】
0004413326.tif 000004
【図４】
0004413326.tif 000005
【図５】
0004413326.tif 000006
【図６】
0004413326.tif 000007
【図７】
0004413326.tif 000008